(57)【要約】【課題】販売待機時においても周囲の関心を引き寄せることができ、販売促進の効果を向上させることのできる自動販売機を提供する。【解決手段】販売待機中のバケット移動機７０を駆動することにより、周囲の関心を引き寄せることが可能な集客動作を行うようにしたので、販売待機時に集客動作によって周囲の関心を引き寄せることができ、販売促進の効果を向上させることが可能となる。【選択図】図４
2010123049.tif 000002
【特許請求の範囲】
【請求項１】
商品を収納する複数の商品収納コラムと、販売する商品を受容するバケットと、選択された商品が収納された商品収納コラムにバケットを移動させ、商品を受容したバケットを所定の商品搬出位置に移動させるバケット移動機とを備え、商品収納コラムに収納された商品を所定の商品搬出位置に搬送する動作が外部から視認可能に構成された自動販売機において、
販売待機中のバケット移動機を駆動することにより、周囲の関心を引き寄せることが可能な集客動作を行う制御手段を備えた
ことを特徴とする自動販売機。
【請求項２】
前回のバケット移動機の駆動から所定時間経過後に集客動作を行う制御手段を備えた
ことを特徴とする請求項１記載の自動販売機。
【請求項３】
前記集客動作を行う時間帯を設定する設定手段を備えた
ことを特徴とする請求項２記載の自動販売機。
【請求項４】
設定時刻に集客動作を行う制御手段を備えた
ことを特徴とする請求項１記載の自動販売機。
【請求項５】
外部の人の存在を検知する人検知センサと、
人検知センサによって人の存在を検知したときに集客動作を行う制御手段とを備えた
ことを特徴とする請求項１記載の自動販売機。
【請求項６】
集客動作中に商品の購入に関する操作を検知すると、集客動作を終了する制御手段を備えた
ことを特徴とする請求項１乃至５の何れか１項記載の自動販売機。
【請求項７】
外部の人の存在を検知する人検知センサと、
集客動作中に人検知センサによって人の存在を検知すると、集客動作を終了する制御手段とを備えた
ことを特徴とする請求項１乃至４の何れか１項記載の自動販売機。
【請求項８】
前記バケット移動機の駆動回数の合計を記憶する記憶部と、
バケット移動機の駆動回数の合計が所定回数以上の場合に集客動作を中止する制御手段とを備えた
ことを特徴とする請求項１乃至７の何れか１項記載の自動販売機。
【請求項９】
前記バケット移動機の駆動時間の合計を記憶する記憶部と、
バケット移動機の駆動時間の合計が所定時間以上の場合に集客動作を中止する制御手段とを備えた
ことを特徴とする請求項１乃至８の何れか１項記載の自動販売機。
【請求項１０】
複数の集客動作の動作パターンを記憶する記憶部と、
記憶部に記憶された複数の動作パターンから１つの動作パターンを選択して集客動作を行う制御手段とを備えた
ことを特徴とする請求項１乃至９の何れか１項記載の自動販売機。
【請求項１１】
前記集客動作の動作時間を設定可能な設定手段を備えた
ことを特徴とする請求項１乃至１０の何れか１項記載の自動販売機。
【請求項１２】
前記集客動作を、販売促進の対象となる商品が収納された商品収納コラムの近傍をバケットが移動するようにした
ことを特徴とする請求項１乃至１１の何れか１項記載の自動販売機。
【請求項１３】
前記バケットに、外部に向かって情報を提供可能な表示部を設けた
ことを特徴とする請求項１乃至１２の何れか１項記載の自動販売機。
【発明の詳細な説明】
【技術分野】
【０００１】
本発明は、商品収納コラムに収納された商品の販売動作を外部から視認可能なシースルー型の自動販売機に関するものである。
【背景技術】
【０００２】
従来、この種の自動販売機としては、商品を収納する複数の商品収納コラムと、販売する商品を受容するバケットと、選択された商品が収納された商品収納コラムにバケットを移動させ、商品を受容したバケットを所定の商品搬出位置に移動させるバケット移動機とを備え、商品収納コラムに収納された商品を所定の商品搬出位置に搬送する動作が外部から視認可能に構成されたものが知られている（例えば、特許文献１参照）。
【特許文献１】特開２００６−１３３９５０号公報
【発明の開示】
【発明が解決しようとする課題】
【０００３】
前記自動販売機では、商品を所定の商品搬出位置に搬送するバケット及びバケット移動機の動作を外部から視認可能とすることにより、周囲の関心を引き寄せて販売促進を図っている。しかし、前記自動販売機では、商品販売時以外の販売待機時にバケット及びバケット移動機が動作することはないため、周囲の関心を引き寄せることはできず販売促進の効果は低い。
【０００４】
本発明の目的とするところは、販売待機時においても周囲の関心を引き寄せることができ、販売促進の効果を向上させることのできる自動販売機を提供することにある。
【課題を解決するための手段】
【０００５】
本発明は前記目的を達成するために、商品を収納する複数の商品収納コラムと、販売する商品を受容するバケットと、選択された商品が収納された商品収納コラムにバケットを移動させ、商品を受容したバケットを所定の商品搬出位置に移動させるバケット移動機とを備え、商品収納コラムに収納された商品を所定の商品搬出位置に搬送する動作が外部から視認可能に構成された自動販売機において、販売待機中のバケット移動機を駆動することにより、周囲の関心を引き寄せることが可能な集客動作を行う制御手段を備えている。
【０００６】
これにより、販売待機時に集客動作としてバケット移動機が駆動することから、集客動作によって周囲の関心を引き寄せることが可能となる。
【発明の効果】
【０００７】
本発明によれば、販売待機時に集客動作によって周囲の関心を引き寄せることができるので、販売促進の効果を向上させることが可能となる。
【発明を実施するための最良の形態】
【０００８】
図１乃至図６は本発明の第１実施形態を示すもので、図１は自動販売機の全体斜視図、図２は外扉及び操作扉を開放した状態を示す自動販売機の全体斜視図、図３は自動販売機の側面断面図、図４は自動販売機の正面断面図、図５は制御系を示すブロック図、図６は集客動作に関する制御部の動作を示すフローチャートである。
【０００９】
この自動販売機は、前面に開口部を有する自動販売機本体１０と、自動販売機本体１０の開口部の幅方向一端側を開閉自在に設けられた外扉２０と、自動販売機本体１０の開口部の幅方向他端側を開閉自在に設けられた操作扉３０とを備えている。
【００１０】
自動販売機本体１０は、内部を仕切壁１１によって幅方向に仕切ることにより、販売用の商品Ａを収納するための商品収納庫１２と販売動作に関する機器を収納するための機器収納庫１３が設けられている。機器収納庫１３の下部には、販売する商品Ａが搬送される商品取出部１４が設けられ、仕切壁１１に商品取出部１４と商品収納庫１２を連通する開口部１５が設けられている。また、開口部１５には、開口部１５を開閉する搬出扉１６が設けられ、搬出扉１６の上端側が開口部１５に回転自在に支持されている。
【００１１】
外扉２０は、自動販売機本体１０の幅方向一端側に回転自在に支持され、商品収納庫１２の前面を開閉するようになっている。また、外扉２０は、ガラスまたは合成樹脂等からなる透明板２１と、透明板２１の外周部に設けられた枠部材２２とからなり、外部から商品収納庫１２内が視認可能となっている。
【００１２】
操作扉３０は、自動販売機本体１０の幅方向他端側に回転自在に支持され、機器収納庫１３の前面を開閉するようになっている。また、操作扉３０の前面には、硬貨投入口３１、返却レバー３２、金額表示部３３、紙幣投入口３４、商品選択部３５、コイン返却口３６、商品取出口３７が設けられている。
【００１３】
また、商品収納庫１２には、上下複数段の棚４０にそれぞれ幅方向に並べて配置された複数の商品収納コラム５０と、商品収納コラム５０に収納された商品Ａを商品取出部１４に搬出するためのバケット６０及びバケット移動機７０が設けられている。また、商品収納庫１２は、図示しない冷却器または電熱ヒータによって冷却または加熱可能となっている。更に、商品収納庫１２の下部には、図示しない圧縮機、放熱器等の冷凍機器を収納するための機械室１７が設けられている。
【００１４】
各商品収納コラム５０は、前後方向に延びる商品通路が設けられ、缶入り飲料、ビン入り飲料及びペットボトル等の縦長の商品Ａが前後方向に並べて商品通路に収納されるようになっている。各商品収納コラム５０の商品通路には、収納された商品Ａを背面側から前方に押し出すための押出板５１が前後方向に移動自在に設けられ、押出板５１は図示しないゼンマイバネ等の付勢部材によって前方に付勢されている。また、各商品収納コラム５０の前端側には、バケット６０の動作により開閉するゲート部材５２が設けられるとともに、底面が後述するバケット６０のフォーク部材が上下に通過可能に切り欠かれている。また、各商品収納コラム５０は前方に引き出すことが可能に設けられており、前方に引き出した状態で商品Ａを補充するようになっている。
【００１５】
バケット６０は、バケット移動機７０に連結されたベース６１と、ベース６１に対して前後方向に移動自在に設けられるとともに、ベース６１上で前後方向商品収納コラム５０側と左右方向商品取出部側との間の９０°の範囲で回転自在に設けられたバケット本体６２と、バケット本体６２の下端に支持され、商品Ａの下面を支持するフォーク部材６３とを備えている。
【００１６】
バケット移動機７０は、商品収納庫１２の前面側に設けられ、バケット６０を幅方向に移動させるための幅方向移動機構７１と、バケット６０が連結された幅方向移動機構７１を上下方向に移動させるための上下方向移動機構７２とを備え、それぞれベルトとプーリ、チェーンとスプロケット、ラックとピニオンまたは送りねじ機構等の回転運動を直線運動に変換する図示しない機構によって構成されている。幅方向移動機構７１及び上下方向移動機構７２は、それぞれ電動モータによって駆動するようになっており、バケット６０を幅方向及び上下方向に移動させるようになっている。
【００１７】
また、この自動販売機は、商品収納庫１２の温度制御、商品Ａの販売動作に関する制御、周囲の関心を引き寄せるためにバケット６０を移動させる集客動作に関する制御等を行うための制御部８０を備えている。制御部８０は、マイクロコンピュータによって構成され、バケット移動機７０の合計駆動回数や合計駆動時間、バケット６０の動作パターンや動作時間などを記憶するためのメモリ８１と、時刻及び所定の動作の時間を計測するためのタイマ８２とを有している。また、制御部８０は、商品選択部３５及びバケット移動機７０が接続され、商品選択部３５からの入力信号を受信するとともに、バケット移動機７０の動作に関する出力信号をバケット移動機７０に送信するようになっている。
【００１８】
以上のように構成された自動販売機において、通常の販売動作を説明する。購入者によって金銭が硬貨投入口３１または紙幣投入口３４から投入され、商品選択部３５において何れかの商品Ａが選択されると、まず、所定の待機位置のバケット６０を、バケット移動機７０によって選択された商品Ａが収納されている商品収納コラム５０の前端側に移動させる。次に、ベース６１に対してバケット本体６２を後方に移動させながらフォーク部材６３を商品収納コラム５０の前端側に位置する商品Ａの下方に挿入し、バケット移動機７０によってバケット６０を上方に移動させることにより、フォーク部材６３で商品Ａを持ち上げながらバケット本体６２内に商品Ａを受容する。そして、ベース６１に対してバケット本体６２を前方に移動させ、バケット本体６２及びフォーク部材６３を商品取出部１４側に回転させる。それから、商品Ａを受容したバケット６０をバケット移動機７０によって上下方向及び幅方向に移動させて商品搬出位置に移動させ、フォーク部材６３を下方に回転させることにより商品Ａを開口部１５を介して商品取出部１４に搬出する。最後に、商品Ａを搬出したバケット６０をバケット移動機７０によって所定の待機位置に移動して動作を終了する。
【００１９】
また、商品の販売が行われることなく販売待機状態が所定時間以上継続する場合には、バケット移動機７０を駆動してバケット６０を移動させることにより周囲の関心を引き寄せるための集客動作を行うようになっている。この集客動作は、バケット６０が左右方向または上下方向に移動するパターン、売れ筋の商品Ａが収納された商品収納コラム５０の近傍を移動するパターン、販売数の少ない商品Ａが収納された商品が収納された商品収納コラム５０の近傍を移動するパターン、キャンペーン商品Ａが収納された商品収納コラム５０の近傍を移動するパターンなど複数の動作パターンがメモリ８１に記憶されており、順番またはランダムに動作パターンが選択されるようになっている。また、集客動作は動作時間が設定できるように設けられており、設定された時間の経過後に集客動作を終了するようになっている。また、自動販売機の設置場所によって購入者が居なくて売り上げが見込めない時間帯が有る場合、商品選択部３５等の設定手段によって集客動作を行う時間を設定できるようになっている。
【００２０】
ここで、集客動作に関する制御部８０の動作を図６のフローチャートを用いて説明する。まず、販売待機中であり（ステップＳ１）、直前に行われた商品の搬出動作または集客動作が終了してバケット移動機７０が停止してから所定時間経過し（ステップＳ２）、例えば９時〜１７時の時間帯など所定の時間帯であり（ステップＳ３）、バケット移動機７０の合計駆動回数が所定回数以下の場合に（ステップＳ４）、バケット６０の動作パターンを選択し（ステップＳ５）、バケット６０の集客動作を開始する（ステップＳ６）。バケット６０の集客動作中に購入者によって硬貨投入口３１または紙幣投入口３４から金銭が投入されたり、商品選択部３５が操作されたりする商品購入操作が行われず（ステップＳ７）、所定時間が経過すると（ステップＳ８）、集客動作を終了し（ステップＳ９）、販売待機状態となる（ステップＳ１）。また、集客動作中に商品購入操作が行われると（ステップＳ７）、集客動作を終了し（ステップＳ９）、販売動作を行う。
【００２１】
前述のバケット移動機７０の合計駆動回数と比較される所定回数とは、保証される範囲内の駆動回数か否かを判断する基準となる数値である。即ち、例えば５年間で２０万回の駆動回数を保証寿命としている場合、自動販売機が設置されてから１年経過時において、所定回数は４万回となり、バケット移動機７０の合計駆動回数が４万回以下であれば集客動作を行う判断をし、４万回より多ければ集客動作を中止する判断を制御部８０が行う。
【００２２】
このように、本実施形態の自動販売機によれば、販売待機中のバケット移動機７０を駆動することにより、周囲の関心を引き寄せることが可能な集客動作を行うようにしたので、販売待機時に集客動作によって周囲の関心を引き寄せることができ、販売促進の効果を向上させることが可能となる。
【００２３】
また、前回のバケット移動機の駆動から所定時間経過後に集客動作を行うようにしたので、一定時間毎に周囲の関心を引き寄せることができ、更に販売促進の効果を向上させることができる。
【００２４】
また、集客動作を行う時間帯を設定できるようにしたので、例えば夜間に購入者が居なくなる建物内に設置されている場合に、集客動作を行う時間帯を設定することにより、売り上げが見込めない夜間の集客動作を中止することができ、無駄なバケット移動機７０の駆動を減らすことによって、消費電力量の低減を図ると共に機器の寿命を延ばすことが可能となる。
【００２５】
集客動作中に金銭の投入や商品選択部３５の操作等の商品Ａの購入に関する操作を検知すると、集客動作を終了するようにしたので、購入者の選択した商品を速やか搬出することができ、購入者に対して商品を短時間で提供することが可能となる。
【００２６】
また、バケット移動機７０の駆動回数を記憶し、バケット移動機７０の駆動回数が所定回数以上の場合に集客動作を中止するようにしたので、保証寿命を越えるペースでバケット移動機７０が駆動している場合に集客動作を中止することができ、バケット移動機７０の過剰な駆動による故障を防止することが可能となる。
【００２７】
また、複数の集客動作の動作パターンをメモリ８１に記憶し、複数の動作パターンから１つの動作パターンを選択して集客動作を行うようにしたので、同じパターンの動作が連続することなく、集客動作毎に異なる動作をさせることができ、更に周囲の注目を引き寄せることが可能となる。
【００２８】
また、集客動作の動作時間を設定可能に設けたので、設置環境に応じた集客動作の動作時間とすることができ、販売促進の効果を向上させることが可能となる。
【００２９】
また、集客動作を、売れ筋の商品Ａ、販売数の少ない商品Ａ、キャンペーン商品Ａなど、販売促進の対象となる商品Ａが収納された商品収納コラム６０の近傍をバケット６０が移動する動作パターンを備えたので、販売促進の対象となる商品Ａを目立たせることができ、対象となる商品Ａの販売促進の効果を向上させることが可能となる。
【００３０】
図７は本発明の第２実施形態を示すもので、集客動作に関する制御部の動作を示すフローチャートである。尚、前記実施形態と同様の構成部分には同一の符号を付して示す。
【００３１】
この自動販売機は、設定時刻になると、バケット移動機７０を駆動してバケット６０を移動させることにより周囲の関心を引き寄せるための集客動作を行うようになっている。
【００３２】
ここで、集客動作に関する制御部８０の動作を図７のフローチャートを用いて説明する。まず、販売待機中であり（ステップＳ１１）、設定時刻になると（ステップＳ１２）、バケット移動機７０の合計駆動回数が所定回数以下の場合に（ステップＳ１３）、バケット６０の動作パターンを選択し（ステップＳ１４）、バケット６０の集客動作を開始する（ステップＳ１５）。バケット６０の集客動作中に購入者によって硬貨投入口３１または紙幣投入口３４から金銭が投入されたり、商品選択部３５が操作されたりする商品購入操作が行われず（ステップＳ１６）、所定時間が経過すると（ステップＳ１７）、集客動作を終了し（ステップＳ１８）、販売待機状態となる（ステップＳ１１）。また、集客動作中に商品購入操作が行われると（ステップＳ１６）、集客動作を終了し（ステップＳ１８）、販売動作を行う。
【００３３】
このように、本実施形態の自動販売機によれば、前記実施形態と同様に、販売待機時に集客動作によって周囲の関心を引き寄せることができ、販売促進の効果を向上させることが可能となる。
【００３４】
また、設定時刻に集客動作を行うようにしたので、設置場所の状況に応じて集客動作を行うことができ、的確に販売促進の効果を向上させることが可能となる。
【００３５】
図８及び図９は本発明の第３実施形態を示すもので、図８は制御系を示すブロック図、図９は集客動作に関する制御部の動作を示すフローチャートである。尚、前記実施形態と同様の構成部分には同一の符号を付して示す。
【００３６】
この自動販売機は、外扉２０の前方の人の存在を検知するための赤外線方式、超音波方式または可視光方式の人感センサ８３を備えている。
【００３７】
ここで、集客動作に関する制御部８０の動作を図９のフローチャートを用いて説明する。まず、販売待機中であり（ステップＳ２１）、人感センサ８３によって人が検知され（ステップＳ２２）、バケット移動機７０の合計駆動回数が所定回数以下の場合に（ステップＳ２３）、バケット６０の動作パターンを選択し（ステップＳ２４）、バケット６０の集客動作を開始する（ステップＳ２５）。バケット６０の集客動作中に購入者によって硬貨投入口３１または紙幣投入口３４から金銭が投入されたり、商品選択部３５が操作されたりする商品購入操作が行われず（ステップＳ２６）、所定時間が経過すると（ステップＳ２７）、集客動作を終了し（ステップＳ２８）、販売待機状態となる（ステップＳ２１）。また、集客動作中に商品購入操作が行われると（ステップＳ２６）、集客動作を終了し（ステップＳ２８）、販売動作を行う。
【００３８】
このように、本実施形態の自動販売機によれば、前記実施形態と同様に、販売待機時に集客動作によって周囲の関心を引き寄せることができ、販売促進の効果を向上させることが可能となる。
【００３９】
また、人感センサ８３によって人を検知したときに集客動作を行うようにしたので、外扉２０の前方に人がいるときに集客動作を行うことができ、的確に販売促進の効果を向上させることが可能となる。
【００４０】
図１０は本発明の第４実施形態を示すもので、集客動作に関する制御部８０の動作を示すフローチャートである。尚、前記実施形態と同様の構成部分には同一の符号を付して示す。
【００４１】
この自動販売機は、前記第３実施形態と同様に、外扉２０の前方の人の存在を検知するための人感センサ８３を備えている。
【００４２】
ここで、集客動作に関する制御部８０の動作を図１０のフローチャートを用いて説明する。まず、販売待機中であり（ステップＳ３１）、直前に行われた商品の搬出動作または集客動作が終了してバケット移動機７０が停止してから所定時間経過し（ステップＳ３２）、例えば９時〜１７時の時間帯など所定の時間帯であり（ステップＳ３３）、バケット移動機７０の合計駆動回数が所定回数以下の場合に（ステップＳ３４）、バケット６０の動作パターンを選択し（ステップＳ３５）、バケット６０の集客動作を開始する（ステップＳ３６）。バケット６０の集客動作中に人感センサ８３によって人が検知されず（ステップＳ３７）、所定時間が経過すると（ステップＳ３８）、集客動作を終了し（ステップＳ３９）、販売待機状態となる（ステップＳ３１）。また、集客動作中に人感センサ８３によって人が検知されると（ステップＳ３７）、集客動作を終了し（ステップＳ３９）、販売動作を行う。
【００４３】
このように、本実施形態の自動販売機によれば、前記実施形態と同様に、販売待機時の集客動作によって周囲の関心を引き寄せることができ、販売促進の効果を向上させることが可能となる。
【００４４】
また、集客動作中に人感センサ８３によって人が検知されると、集客動作を終了するようにしたので、商品の販売を速やか行うことができ、購入者に対して商品を短時間で提供することが可能となる。
【００４５】
尚、前記第１乃至第４実施形態では、バケット６０の移動のみによって周囲の関心を引き寄せるようにしたものを示したが、バケット６０の前面にステッカー等を貼り付けるスペースを設けたり、液晶画面を設けたりすることにより、バケット６０に前方に向かって情報を表示可能な表示部を設け、キャンペーン商品の情報や商品の冷却または加熱に関する情報を表示すると共にバケット６０を移動させることにより、更に周囲の関心を引き寄せることができる。
【００４６】
また、前記第１乃至第４実施形態では、集客動作を行う際に、バケット移動機７０の合計駆動回数が保証される範囲内の駆動回数か否かを判断し、合計駆動回数が保証される範囲より多い場合に集客動作を中止するようにしたものを示したが、バケット移動機７０の合計駆動時間が保証される範囲内の駆動時間か否かを判断し、合計駆動時間が保証される範囲より長時間となる場合に集客動作を中止するようにしても前記第１乃至第４実施形態と同様に、保証寿命を越えるペースでバケット移動機７０が駆動している場合に集客動作を中止することができ、バケット移動機７０の過剰な駆動による故障を防止することが可能となる。
【００４７】
また、前記第１乃至第４実施形態では、バケット移動機７０によって上下方向及び左右方向に移動自在に設けられたバケット６０を備えた自動販売機において、バケット６０を移動させる集客動作を行うようにしたものを示したが、幅方向に並ぶ商品収納コラム５０の全体に亘って延びるように設けられ、上下方向に移動自在に設けられたバケットとしての搬出トレーを備え、選択された商品Ａが収納された商品収納コラムの前方に搬出トレーを移動させ、商品Ａが載置された状態の搬出トレーを所定の商品搬出位置に移動させ、搬出トレーを下方に回転させることにより搬出トレーに載置された商品Ａを商品取出部に落下搬出するようにした自動販売機において、搬出トレーを上下方向に移動させたり、下方に回転させたりする集客動作を行うようにしても前記第１乃至第４実施形態と同様に、販売待機時の集客動作によって周囲の関心を引き寄せることができ、販売促進の効果を向上させることが可能となる。
【図面の簡単な説明】
【００４８】
【図１】本発明の第１実施形態を示す自動販売機の全体斜視図
【図２】外扉及び操作扉を開放した状態を示す自動販売機の全体斜視図
【図３】自動販売機の側面断面図
【図４】自動販売機の正面断面図
【図５】制御系を示すブロック図
【図６】集客動作に関する制御部の動作を示すフローチャート
【図７】本発明の第２実施形態を示す集客動作に関する制御部の動作を示すフローチャート
【図８】本発明の第３実施形態を示す制御系を示すブロック図
【図９】集客動作に関する制御部の動作を示すフローチャート
【図１０】本発明の第４実施形態を示す集客動作に関する制御部の動作を示すフローチャート
【符号の説明】
【００４９】
１４…商品取出部、５０…商品収納コラム、６０…バケット、７０…バケット移動機、８０…制御部、８１…メモリ、８２…タイマ、８３…人感センサ。
【図１】
2010123049.tif 000003
【図２】
2010123049.tif 000004
【図３】
2010123049.tif 000005
【図４】
2010123049.tif 000006
【図５】
2010123049.tif 000007
【図６】
2010123049.tif 000008
【図７】
2010123049.tif 000009
【図８】
2010123049.tif 000010
【図９】
2010123049.tif 000011
【図１０】
2010123049.tif 000012